(57)【要約】      （修正有）【課題】思い出があったり、愛着の深い古着を廃棄処分することなく再利用し、所有者の要望に応えて世界で一つだけのユニークな履物を提供する。【解決手段】古着２に対して、所有者の思い出深い柄、模様、ロゴ等のデザイン部４を履物１のアッパー部３に配置できるように、アッパー部３のバーツを型取りして裁断し、これらの型取りして裁断したアッパー部３のバーツの裏面に所要のラテックスを裏張りして、これらのアッパー部３のバーツの所定部を縫着し、その下周部を釣り込んでソールの周部に溶着または接着若しくは縫着して履物を形成している。【選択図】図１
0003228546.tif 000002
【実用新案登録請求の範囲】
【請求項１】
古着や新古着を履物のアッパー部に再利用するとともに、その所持者の古着や新古着の思い出深い柄、模様、ロゴ等のデザイン部を履物のアッパーの所要部に配置できるようにアッパー部に選択して履物を形成したことを特徴とする古着再利用の履物。
【請求項２】
古着や新古着の思い出深い柄、模様、ロゴ等のデザイン部を履物のアッパー部に配置できるようにアッパー部のバーツに型取りして裁断し、これらの型取りして裁断したアッパー部のバーツの裏面に所要のラテックスを裏張りして、これらのアッパー部のバーツの所定部を縫着し、その下周部を釣り込んでソールの周部に溶着または接着若しくは縫着して履物を形成したことを特徴とする請求項１に記載の古着再利用の履物。
【請求項３】
折りネームを消臭糸や抗菌糸で形成し、この折りネームを履物の内側に貼り付けたことを特徴とする請求項１または２に記載の古着再利用の履物。
【請求項４】
古着や新古着をパンプス等の履物に再利用するとともに、パンプス等の履物の踵部にも古着や新古着の思い出深い柄、模様、ロゴ等のデザイン部を配置したことを特徴とする請求項１ないし３のいずれかに記載の古着再利用の履物。
【請求項５】
寒暖用の古着や新古着で中敷を形成し、寒暖に応じて履物にその中敷を交換可能に装着したことを特徴とする請求項１ないし４のいずれかに記載の古着再利用の履物。
【考案の詳細な説明】
【技術分野】
【０００１】
本考案は、履物分野における古着再利用の履物に関するものである。
【背景技術】
【０００２】
近年、不要となったテレビやパソコン等の家電品のリサイクルや、不要となった衣類やアクセサリー等をインターネットを介して売買することが盛んに行なわれている。
【０００３】
このように家電品のリサイクルや、衣類等の売買が盛んに行なわれているものの、その所持者にとっては、思い出があったり、愛着の深い物品であるものがあり、できれば再利用できることを望んでいる。
【考案の概要】
【考案が解決しようとする課題】
【０００４】
しかし、それらの所持者にとっての思い出があったり、愛着の深い物品の再利用は、大量生産品でなく、単品ごとの取り扱いとなるとともに、商業化することは難しい。そのため、それらの所有者の要望に応えて、いかに再利用化することが課題であった。
【課題を解決するための手段】
【０００５】
本考案は、上記のような点に鑑みたもので、上記の課題を解決するために、古着や新古着を履物のアッパー部に再利用するとともに、その所持者の古着や新古着の思い出深い柄、模様、ロゴ等のデザイン部を履物のアッパーの所要部に配置できるようにアッパー部に選択して履物を形成したことを特徴とする古着再利用の履物を提供するにある。
【０００６】
また、古着や新古着の思い出深い柄、模様、ロゴ等のデザイン部を履物のアッパー部に配置できるようにアッパー部のバーツに型取りして裁断し、これらの型取りして裁断したアッパー部のバーツの裏面に所要のラテックスを裏張りして、これらのアッパー部のバーツの所定部を縫着し、その下周部を釣り込んでソールの周部に溶着または接着若しくは縫着して履物を形成したことを特徴とする古着再利用の履物を提供するにある。
【０００７】
また、折りネームを消臭糸や抗菌糸で形成し、この折りネームを履物の内側に貼り付けたことを特徴とする古着再利用の履物を提供するにある。
【０００８】
さらに、古着や新古着をパンプス等の履物に再利用するとともに、パンプス等の履物の踵部にも古着や新古着の思い出深い柄、模様、ロゴ等のデザイン部を配置したことを特徴とする古着再利用の履物を提供するにある。
【０００９】
またさらに、寒暖用の古着や新古着で中敷を形成し、寒暖に応じて履物にその中敷を交換可能に装着したことを特徴とする古着再利用の履物を提供するにある。
【考案の効果】
【００１０】
本考案は、実用新案登録請求の範囲の請求項１に記載のように、古着や新古着を履物のアッパー部に再利用するとともに、その所持者の古着や新古着の思い出深い柄、模様、ロゴ等のデザイン部を履物のアッパーの所要部に配置できるようにアッパー部に選択して履物を形成したことによって、所持者にとっての思い出があったり、愛着の深い古着を身近に日常に使用するシューズ等の履物に、世界で一つだけのものとして再利用でき、不要品と思われていた物品を有効にリサイクルでき、不要品の削減、消費の拡大化の防止、環境保全に寄与することができる。
【００１１】
また、本考案は、実用新案登録請求の範囲の請求項２に記載のように、古着や新古着の思い出深い柄、模様、ロゴ等のデザイン部を履物のアッパー部に配置できるようにアッパー部のバーツに型取りして裁断し、これらの型取りして裁断したアッパー部のバーツの裏面に所要のラテックスを裏張りして、これらのアッパー部のバーツの所定部を縫着し、その下周部を釣り込んでソールの周部に溶着または接着若しくは縫着して履物を形成したことによって、上記のように所持者の古着や新古着の思い出深い所望の柄、模様、ロゴ等のデザイン部を履物に実用的に再利用できて歩行することができる。
【００１２】
また、本考案は、実用新案登録請求の範囲の請求項３に記載のように、折りネームを消臭糸や抗菌糸で形成し、この折りネームを履物の内側に貼り付けたことによって、独自の折りネームで履物に生じる嫌な臭いや細菌の発生を防止できる。
【００１３】
さらに、本考案は、実用新案登録請求の範囲の請求項４に記載のように、古着や新古着をパンプス等の履物に再利用するとともに、パンプス等の履物の踵部にも古着や新古着の思い出深い柄、模様等のデザイン部を配置したことによって、上記のような履物をよりファッショナブルに再利用できる。
【００１４】
さらにまた、本考案は、実用新案登録請求の範囲の請求項５に記載のように、寒暖用の古着や新古着で中敷を形成し、寒暖に応じて履物にその中敷を交換可能に装着したことによって、寒暖に応じて中敷を自在に交換して再利用でき、履物内を清潔に、かつ足を清潔に保護することができる。
【図面の簡単な説明】
【００１５】
【図１】本考案の一実施例の斜視図、
【図２】同上の古着の一例の正面図（ａ）と背面図（ｂ）、
【図３】同上のアッパー部のパーツの展開図、
【図４】同上のアッパー部のパーツの他の展開図、
【図５】同上のアッパー部の靴型に装着状態とソールに溶着状態の斜視説明図、
【図６】同上の他の実施例の斜視図、
【図７】同上の他の古着の正面図（ａ）と背面図（ｂ）。
【考案を実施するための形態】
【００１６】
本考案の古着再利用の履物は、古着や新古着を履物のアッパー部に再利用するとともに、その所持者の古着や新古着の思い出深い柄、模様、ロゴ等のデザイン部を履物のアッパーの所要部に配置できるようにアッパー部に選択して履物を形成したことを特徴としている。
【００１７】
古着再利用の履物１は、所有者の思い出や愛着の深い上着、ベスト、シャツ、スカート、ズボン、スラックス等の古着２や新古着で、もはや不要となって、できれば形を代えて再利用を望むもので、図１のようにシューズ等の履物１のアッパー部３に再利用するものである。
【００１８】
履物１への利用部分は、そのアッパー部３が好ましく、図２（ａ）、（ｂ）のようなシャツ等の古着２の縫合部をほどいて、所望の柄、模様、ロゴ等の所望のデザイン部４を履物１のアッパーの所要の位置に配置できるように図３、図４のように所要の型紙５を介してアッパー部３のバーツに所要数を型取りし、裁断して再利用するものである。
【００１９】
履物１としては、スニーカー、カジュアルシューズ、ヒール、パンプス、ブーツ、スリッパー、サンダル等が利用でき、その所持者の古着２の思い出深い所望の柄、模様、ロゴ等の所望のデザイン部４をアッパーの所要部に配置して、愛着の深い古着２を身近に日常に使用するシューズ等に利用して、世界で一つだけのものとして再利用できる。
【００２０】
履物１への利用にあたっては、履物1 のデザインが気に入るようにそのイメージを膨らませて、図２の所望の古着2 の思い出が深く、愛着の深い、所望の柄、模様、ロゴ等のデザイン部４を履物１のアッパー部３に配置できるように企画する。
【００２１】
通常、古着2 の思い出が深く、愛着の深い、所望の柄、模様、ロゴ等のデザイン部４は、履物1 のアッパー部３に左右非対称に配置されるので、より世界で一つだけのものになりやすい。
【００２２】
そして、着用者にあった所要のサイズの履物１の木型等の靴型６に合わせて、図３、図４のようにアッパー部３のバーツの所要数の型紙５を作成し、このアッパー部３のバーツの型紙５を図２に示したシャツ等の古着２の所要部分に貼り付けて、所要のアッパー部３を裁断する。
【００２３】
そして、この裁断したアッパー部３の裏面にアッパー部３の古着２に対応して所要の天然ゴムまたは合成ゴムの所要の厚さのラテックスのシートを裏張りしたり、ラテックス材を所要の厚さに塗着したりして所要の強度、弾性を有するものとし、必要により表面に透明等のフィルムを貼付するラミネート加工を施して、その内側に消臭糸や消臭布または抗菌糸や抗菌布を使用した内装材または内底材を貼り付けたり、装着し、必要により足指部や踵部等に補強用芯材を装着させ、アッパー部３の所定部をミシンで縫着する。
【００２４】
上記消臭糸や消臭布としては所要のセラミックス等を含有したポリエステル、ナイロン等の糸や布を採択でき、抗菌糸や抗菌布としては銀イオン等の金属を保持させたポリエステル、ナイロン等の糸や布を採択できる。
【００２５】
上記縫着したアッパー部３を図５のように所要の木型の靴型６に被せて，その下周部に底部接合用の釣り込み部を形成して、所定のソール７に熱溶着したり、接着剤で接合したり、縫着して底付けを行い、アッパー部３を馴染ませて靴型６から抜き取って所要の履物１を形成できる。
【００２６】
なお、折りネームを上記したような消臭糸や抗菌糸で形成した織物（Deodorant Star
登録商標）等を利用し、この折りネームを履物１の内側に貼り付けて、その独自の折りネームで履物に生じる嫌な臭いや細菌の発生を防止することもできる。
【００２７】
このようにして、古着や新古着の思い出深い所望の柄、模様、ロゴ等のデザイン部を履物のアッパーの所要の位置に配置して、所持者の思い出深く、愛着のある古着や新古着を履物に再利用して、日常的に楽しく歩行するようにできる。なお、春夏秋冬の古着や新古着をそれぞれ季節に合わせて製作すると、１年中、リサイクルの履物を履いて楽しめる。
【００２８】
また、寒暖用の古着や新古着で中敷を形成し、寒暖に応じて履物にその中敷を交換可能に装着することが好ましく、暑いときには麻や綿、涼感の合成地を利用して足を涼しく、寒いときにはウールや温感の合成地を利用して足を温かく保持するようにもできる。
【００２９】
なお、古着や新古着は、予め所要のクリーニング処理をしたり、抗菌、防臭処理等を行なって、所要の仕上げ処理を行なうなど本考案の趣旨にもとづいて適宜に採択することができる。
【実施例】
【００３０】
図１以下は、本考案の実施例を示すものである。古着再利用の履物１は、図１のように所有者の思い出や愛着の深いシャツの古着２をシューズの履物１のアッパー部３に再利用している。上記愛着の深い古着２は、予め所要のクリーニング処理をしたり、抗菌、防臭処理等を行なう。
【００３１】
履物１は、デザインが気にいるようにそのイメージを膨らませて、図２（ａ）、（ｂ）の古着２の思い出が深く、愛着の深い、所望の柄、模様、ロゴ等の所望のデザイン部４を履物１のアッパー部３に配置できるように企画する。
【００３２】
デザイン部４が決まれば、古着２の縫合部をほどいて、所望の柄、模様、ロゴ等のデザイン部４を履物１のアッパーの所要の位置に配置できるように、図３、図４のように１つのパターンや２つのパターンのアッパー部３のバーツの型紙５を型取りし、着用者にあった所要のサイズの履物２の靴型６に合わせてアッパー部３のバーツの型紙５を介して図２（ａ）、（ｂ）に例示したシャツの古着２の所要部分に貼り付けて裁断する。
【００３３】
そして、この裁断したアッパー部３の裏面に所要の厚さの合成ゴムのラテックスのシートを裏張りし、必要により表面にラミネート加工を施し、その内側に軟質シートの内装材を周部を縫着して貼り合わせ、アッパー部３の端部の所定部をミシンで縫着していく。
【００３４】
縫着したアッパー部３は、図５のように所要の靴型６に被せて，その下周部に釣り込み部を形成し、所定のソール７に熱溶着して底付けを行い、アッパー部３を馴染ませて靴型６から抜き取り、内底材を装着して図１のように所要の履物１を形成できる。
【００３５】
図６、図７は、本考案の他の実施例を示すものである。古着再利用の履物１は図６のようにパンプスのもので、図７のように所有者の思い出や愛着の深いＴシャツの古着２を、アッパー部３および踵部に再利用したものである。このようにパンパス等の履物１にも再利用可能であり、所望の履物１に思い出や愛着の深い古着２をファッショナブルに再利用することができる。
【００３６】
このようにして、古着や新古着の思い出深い所望の柄、模様、ロゴ等のデザイン部、特に必要によりブランドマークを履物の所要のアッパーの所要の位置に配置して、所持者の古着や新古着の思い出深い、柄、模様、ロゴ等の所望のデザイン部を気に入ったように履物に配置して再利用できて、歩行することができる。
【００３７】
なお、消臭糸や抗菌糸で織った織物（Deodorant Star  登録商標）の折りネームを履物１の内側に貼り付けて、この独自の折りネームで履物１の生じる嫌な臭いや細菌の発生を防止するようにできる。
【００３８】
また、通常、古着や新古着の思い出深い柄、模様、ロゴ等のデザイン部を履物に左右非対称に形成することとなり、より世界で一つだけの、ユニークな履物に再利用できて日常的に楽しく歩行することができる。
【００３９】
また、古着や新古着で中敷を形成し、履物にその中敷を交換可能に装着することもでき、特に暑いときには麻や綿等の涼感地を利用して足を涼しく、寒いときにはウール等の温感地を利用して足を温かく保持するようにできる。さらに、履物の内底に着用者の足にそった凹凸状の形状とした中敷を装着して、着用者の足にそった独自の履物として歩行しやすくできるなど本考案の趣旨にもとづいて適宜に実施することができる。
【産業上の利用可能性】
【００４０】
本考案は、スニーカー、カジュアルシューズ、ヒール、ブーツ、スリッパー、サンダル等の履物の分野に広く利用することができる。
【符号の説明】
【００４１】
１…履物      ２…古着    ３…アッパー部    ４…デザイン部    ５…型紙
６…靴型      ７…ソール
【図１】
0003228546.tif 000003
【図２】
0003228546.tif 000004
【図３】
0003228546.tif 000005
【図４】
0003228546.tif 000006
【図５】
0003228546.tif 000007
【図６】
0003228546.tif 000008
【図７】
0003228546.tif 000009